(57)【特許請求の範囲】
【請求項１】
竿管外周に形成した糸導入口に配設される釣糸導入ガイドを備えた中通し釣竿であり、この釣糸導入ガイドは、前記糸導入口に沿って配される支持体と、この支持体から後方に向けて側枠を立上げ、この側枠の頂部と一体化する後枠に、リール取り付け側から斜め下方に向けて釣糸を前記糸導入口に導入するガイド部を備えた枠体と、この枠体の側枠が支持体から立ち上がる部分に滑らかな曲面で形成して側枠と支持体との間の糸噛みを防止する膨出部とを有し、前記ガイド部の竿管表面からの高さ位置を１２〜３０ｍｍにすると共に、その内口径を５〜１５ｍｍとしたことを特徴とする中通し釣竿。
【請求項２】
前記ガイド部を、前記糸導入口に対する釣糸の導入角度が１０〜２５°の範囲となるように配置したことを特徴とする請求項１に記載の中通し釣竿。
【請求項３】
前記ガイド部を、竿管軸長方向に対する傾斜角度が６０〜８５°の範囲となるように配置したことを特徴とする請求項１又は２に記載の中通し釣竿。
【請求項４】
前記ガイド部の内面部は、前記糸導入口に向けて所定長さ延出することを特徴とする請求項１乃至３のいずれか１項に記載の中通し釣竿。
【請求項５】
前記枠体は、前記糸導入口の上方を開放する形状に形成されることを特徴とする請求項１乃至４のいずれか１項に記載の中通し釣竿。
【発明の詳細な説明】
【０００１】
【発明の属する技術分野】
本発明は、中通し釣竿に関し、詳細には、釣糸を竿管内へ導入する釣糸導入ガイドに特徴を有する中通し釣竿に関する。
【０００２】
【従来の技術】
一般的に、中通し釣竿は、リールからの釣糸を、釣糸導入ガイドを介して竿管外周に形成された糸導入口から竿管内に導入する構成となっており、上記釣糸導入ガイドは、例えば、特開平８−１０７７３９号に開示されているように、竿管の糸導入口に対して、後方やや上方から釣糸が導入するように、アーチ状の連結部を設け、ここに釣糸が挿通するガイド部を形成した構成となっている。
【０００３】
【発明が解決しようとする課題】
しかしながら、従来の中通し釣竿は、上記したような釣糸導入ガイドに関し、竿管の糸導入口等との関連において、ガイド部や連結部の位置関係、形状等、何等配慮されていないため、リールから繰り出された釣糸が竿管外周面に当たり、糸抵抗が増大したり、釣糸がガイド部と糸導入口との間でフケてしまい、糸が絡んでスムースに繰り出せない、という欠点がある。また、連結部に釣糸が当たり易く、糸抵抗が大きくなったり、糸通し作業が行いにくい、等の欠点がある。
【０００４】
本発明は、従来の中通し釣竿における釣糸導入ガイドの構成は、糸導入口、ガイド部の関係等について何等配慮された構成となっていないことを見い出し、上記したような問題が生じることに着目して成されたものである。
【０００５】
すなわち、本発明は、リールから繰り出された釣糸が円滑に竿管内部に導入できる釣糸導入ガイドを有する中通し釣竿を提供することを目的とする。さらに、本発明は、糸通し作業が行い易い釣糸導入ガイドを有する中通し釣竿を提供することを目的とする。
【０００６】
【課題を解決するための手段】
上記した課題を解決するために、本発明の中通し釣竿は、竿管外周に形成した糸導入口に配設される釣糸導入ガイドを備えており、この釣糸導入ガイドは、前記糸導入口に沿って配される支持体と、この支持体から後方に向けて側枠を立上げ、この側枠の頂部と一体化する後枠に、リール取り付け側から斜め下方に向けて釣糸を前記糸導入口に導入するガイド部を備えた枠体と、この枠体の側枠が支持体から立ち上がる部分に滑らかな曲面で形成して側枠と支持体との間の糸噛みを防止する膨出部とを有し、前記ガイド部の竿管表面からの高さ位置を１２〜３０ｍｍにすると共に、その内口径を５〜１５ｍｍとしたことを特徴とする。
【０００７】
上記した構成によれば、リールから放出された釣糸は、上記した高さに設定されたガイド部に案内されることによって、竿管表面との接触が低減されて、円滑に竿管の内部に導入される。また、上記した内口径により、リールから放出される釣糸は、効率良く絞り込まれ、糸弛みや、振れを抑制して、円滑に竿管に導入される。また、枠体の側枠が支持体から立ち上がる部分に滑らかな曲面で形成された膨出部は、釣糸導入ガイド内における糸噛みを防止する。
【０００８】
【発明の実施の形態】
以下、本発明の実施の形態を添付図面を参照しながら説明する。
図１乃至図４は、本発明の第１の実施の形態を示しており、図１は、釣糸導入ガイド部分の縦断面図、図２は、側面図、図３は、平面図、そして、図４は、図３のＡ−Ａ線に沿った断面図である。
【０００９】
図において、符号１は大径竿管を示しており、その外周面には糸導入口１ａが形成されている。大径竿管１の先端領域は先細テーパ状に形成されており、この部分に中竿管３の基端領域が継合するようになっている。なお、大径竿管の先端部には口金１ｂが設けられており、割れ等が生じないように補強されている。糸導入口１ａから導入される釣糸は、大径竿管に継合する中竿管３、更に小径の中竿管（存在しなくても良い）、そして、穂先竿管の内部を通って、穂先竿管の先端から導出される。各竿管の構成材料は特に限定されることはないが、炭素繊維等の強化繊維を熱硬化性樹脂で補強した、いわゆるＦＲＰで構成することができる。また、図に示す中竿管３及びこれより穂先側にある竿管の内周面には、スパイラル状に突起４が形成されており、挿通された釣糸を円滑に案内するように構成されている。
【００１０】
中竿管３の基端部には、ゴム製のＯリング６ａを介して、合成樹脂、アルミニウムなどの金属、セラミックス等によって形成された栓体６が取り付けられている。栓体６の内周面には、釣糸を穂先竿管に導入し易いように、穂先竿管を係止する係止突起６ｂが形成されると共に、この係止突起に穂先竿管の基端部を案内する案内面６ｃが形成されている。また、栓体６の基端側には、釣糸を中竿管３（小径竿管）に案内するように糸案内面６ｄが形成されており、さらに、糸が摺接する部分には、その摩擦抵抗を軽減するように、セラミックス等によって内側ガイドリング９が設けられている。
【００１１】
前記大径竿管１に形成された糸導入口１ａには、釣糸導入ガイド１０が設けられる。この場合、糸導入口１ａが形成される大径竿管は、最も手元側にある竿管、いわゆる元竿管であっても良いし、その元竿管よりも先にある中竿管であっても良い。以下、この図に示された釣糸導入ガイド１０の構成について説明する。
【００１２】
釣糸導入ガイド１０は、リール取り付け側から斜め下方に向けて釣糸を竿管内に導入するようにしたガイド部１１を備えた枠体１２と、この枠体１２を支持すると共に、糸導入口１ａに沿って配され、糸導入口に対応する長孔３０ａが形成された支持体３０を有している。枠体１２及び支持体３０を構成する材料は、金属や合成樹脂やセラミックス等を用いることができる。この内、枠体は、強度、耐久性を考慮すると金属材料（ＳＵＳ，ＢＳ，Ｔｉ等）が好ましく、この場合、薄板状部材（厚さ２．０ｍｍ以上、好ましくは１．６〜０．６ｍｍ）を所望形状に折り曲げたり、絞りを加えて形成すると良い。また、支持体は、合成樹脂やゴム材料等の屈曲性のある材料によって構成することが好ましく、又、支持体全体をセラミックスや金属等の耐摩耗性材料を用いて摩耗を防止するようにしても良い。また、前記ガイド部１１は、釣糸Ｓの摩擦抵抗を軽減するように、セラミックス等で構成されており、釣糸Ｓが挿通するようにリング形状を成している。
【００１３】
前記枠体１２は、図１に示すように、釣糸導入口１ａ（支持体３０の長孔３０ａ）の後方で部分的に凸状に立ち上げられた構造にすることが好ましく、特に、釣糸出し入れ時の作業性を考慮して、糸導入口１ａの上方が開放するように構成することが好ましい。このため、図３及び図４に示されているように、枠体１２は、支持体３０の長孔３０ａの両サイドから、夫々後方に向けて次第に立ち上げられる２本の側枠１２ａと、各側枠１２ａの頂部１２ｔと一体化するように、後方の竿管表面から前記頂部１２ｔに向けて次第に立ち上がる１本の後枠１２ｂとで主に構成されており、前記ガイド部１１は、後枠１２ｂの上方領域に設けられている。各側枠１２ａは、支持体３０の中央領域から前方に向けて支持体と隣接して水平方向に延出しており、さらにその前方側は、長孔３０ａの前方で一体化されて、前延出部１２ｃを形成している。また、後枠１２ｂは、その基端部において、竿管の表面に沿うように後方に向けて後延出部１２ｄを形成している。
【００１４】
枠体１２を上記したように構成することによって、釣糸Ｓの当たりを少なくして、抵抗を低減できると共に、糸通し時における糸の出し入れ作業が容易に行えるようになる。
【００１５】
なお、上記構成において、側枠１２ａ部分での幅Ｗ１は、釣糸の引掛かりを防止するためにも、大径竿管１の外径以下に形成することが望ましい。また、枠体１２は、大径竿管１に対して、後述する支持体３０と一体化されて取り付けられるが、その固定方法としては、前記各延出部１２ｃ，１２ｄを、糸巻き固定によって固定したり（固定部を符号３５で示す）、金属リングによって固定したり、あるいは、固定力が向上するように、各延出部１２ｃ，１２ｄに螺子孔１２ｈを形成しておき、竿管に対して螺子止め固定しても良い。なお、螺子止め方式にすることで、釣糸導入ガイド１０を竿管から着脱可能に構成できる。
【００１６】
前記支持体３０は、枠体１２を支持し、竿管１に形成された糸導入口１ａと長孔３０ａが一致するように配される。この場合、長孔３０ａの両サイドに、それぞれ竿管内部に向けて傾斜する傾斜部３０ｂを形成すると共に、図４に示すように、竿管１の内側に突出しないように、前記した傾斜部３０ａから竿管内面に滑らかに繋がる内側傾斜部３０ｃを形成しておくことが望ましい。このように支持体３０を形成することによって、糸の抵抗を低減できると共に、糸通し時における糸の出し入れ作業が容易に行えるようになる。
【００１７】
また、支持体３０の長孔３０ａの内周の前端部と後端部は、釣糸の巻取り、放出時に釣糸が摺接する部分であるため、釣糸に抵抗が生じること無く摺動し易いように、この部分に、例えばセラミックス製のＵ字型のガイド部材３３を設けておくことが好ましい。特に、この場合、前側のガイド部材３３は、その下縁部の糸の接触部分をＲ状にしておくことが好ましい。さらに、支持体３０の長孔３０ａの後方側の裏面部に、竿管内部に突出するハケ部材３６を設けておくことが好ましい。通常、釣竿の収納時には、釣糸を竿管内に通したまま中竿管３を大径竿管１に収納し、使用時に再び中竿管３を振り出して大径竿管の先端部に継合させることが行われる。このような操作において、中竿管３を振り出した際、釣糸が内部で詰まって、中竿管３上に載り、継合部において挟まってしまうことがある。上記したハケ部材３６を設けておくことで、振り出し時において、中竿管の表面を掃くことができ、釣糸の絡み、挟み込みを防止することができる。
【００１８】
次に、上記したガイド部１１及びガイド部１１を備えた枠体１２の構成、並びに各構成部材の位置関係等の好ましい態様について、図１乃至図５を参照しながら説明する。なお、図５では、図１に示した構成の内、必要な部分のみを示しており、関係の無い部材については省略されている。
（１）ガイド部１１は、釣糸Ｓが挿通する内口径が５〜１５ｍｍ、好ましくは６〜１２ｍｍの範囲内に設定される。このような範囲とすることで、リールからの釣糸を効率良く絞り込みながら長孔３０ａに案内することができ、しかもガイド部１１から長孔３０ａの途中での糸たるみを防止しながら案内することが可能となる。なお、ガイド部１１の形状は、円形以外、例えば楕円形状であっても、その長軸及び短軸の径は、上記した範囲内に設定される。
（２）ガイド部１１は、竿管１の表面から入口中心位置Ｃまでの高さｈが、１２ｍｍ〜３０ｍｍ以下となるように後枠１２ｂに設けられる。ガイド部１１をこのような高さに設定することにより、リールからの釣糸を竿管表面に当たりにくくすることができ、釣糸の抵抗を軽減して放出性の向上が図れる。また、釣糸の竿管内への導入角度を適切な範囲にすることができ、上記した枠体１２の形状と相俟って、糸絡みを効果的に防止することができる。
（３）竿管１の糸導入口１ａに対する釣糸の導入角度θ１が１０〜２５°の範囲となるように、ガイド部１１を取り付ける。この場合、導入角度θ１は、ガイド部１１の入口中心位置Ｃと、継合状態での内側ガイドリング９の中心位置Ｃ１（又は糸導入口１ａにおける前端部における釣糸の接触位置）とを結ぶ直線（中心線）ｍが、大径竿管１の表面と交差する角度によって定義される。
【００１９】
釣糸の導入角度が、上記した範囲となるようにガイド部１１を構成することによって、釣糸をガイド部１１から竿管内部まで無理なく案内することができる。また、このような位置関係とすることで、釣糸が大きく方向変化することが抑制され、釣糸を円滑に案内することができる。
（４）ガイド部１１は、そのガイド部１１の中心軸ｎが、上記（３）の角度θ１を規定する中心線ｍより角度θ２だけ傾くように配置するのが良い。すなわち、中心軸ｎが、糸導入口１ａの中央部から後方のＵ型ガイド部材３３に至る範囲を向くようにするか、又は、後方のＵ型ガイド部材３３よりもやや後方側を向くようにするのが良い。なお、上記条件を満たすように、実際のθ２の角度は１５°以内に設定すれば良い。
【００２０】
ガイド部１１を以上のように配置することによって、リールから繰り出された釣糸は、ガイド部１１に当たりながら、そのまま前方ではなく、やや角度をもって案内されるため、釣糸にスピードがあっても、前方のＵ型ガイド部材３３を超えてその上方で糸がふける（振れる）ことが防止又は低減される。
（５）上記したように、ガイド部１１はリング形状をなしており、リールからの釣糸が最初に接触する部分である。このため、その内周面の形状は、中心軸ｎに沿って所定の長さだけ延出する円筒形状とすることが好ましい。このように構成することで、釣糸を、一層確実に竿管内部（糸導入口１ａ）に角度をつけて案内し易くなる。この場合、延出長さ（ガイド部１１の厚さ）を、あまり長くし過ぎると糸抵抗が増大するため、１０ｍｍ以下にするのが良い。なお、上記した円筒形状以外にも、内周面の形状は、先細状のテーパに形成しても良い。
（６）ガイド部１１は、竿管軸長方向に対する傾斜角度θ３（竿管軸長方向とガイド部１１の中心軸ｎと垂直に交わる平面との角度）が９０°以下となるように配置するのが好ましい。このように配置することで、リールから繰り出された釣糸を、竿管の糸導入口１ａ方向に角度を変えて案内し易くなり、糸抵抗を低減することができる。この場合、θ３の角度は６０〜８５°好ましくは７０〜８０°とするのが良い。なお、この条件を満足した上で、さらに、上述した条件（４）を満足するように配置することで、上記した（４）の効果も得られ、より好ましくなる。
（７）ガイド部１１の入口中心Ｃから、糸導入口１ａの前側にあるＵ型ガイド部材３３までの竿管軸長方向での距離Ｌ１が、５０〜１５０ｍｍ、好ましくは６０〜１２０ｍｍとなるように、ガイド部１１、枠体１２及び支持体３０を構成するのが良い。各部材をこのような位置関係とすることによって、釣糸の傾斜角度が小さくなり、釣糸の方向変化が少なく、円滑に竿管内部に釣糸が案内される釣竿とすることができる。
（８）実際に釣糸が竿管内に案内される支持体３０の長孔３０ａの開口長さＬ２は、２５〜７５ｍｍ、好ましくは３０〜６０ｍｍの範囲に設定し、その開口幅Ｗ２（図４参照）を、大径竿管１の外径の１／３以下で３〜１０ｍｍに設定するのが良い。長孔３０ａを、このような大きさに形成することで、強い糸当たりを防止することができ、釣糸の損傷、糸抵抗の増大を抑制することができる。なお、長孔３０ａは、その後方位置が、ガイド部１１の下方又はそれよりも少し後方位置まで延ばして形成しても良い。
（９）大径竿管１と中竿管３との位置関係は、上記した中竿管３の後端にある内側ガイドリング９が、継合状態において、前側のＵ型ガイド部材３３よりも前方側の近傍領域に位置するのが好ましいが、少なくとも後側のＵ型ガイド部材３３より前方に位置するように構成する。この場合、図に示すように、内側ガイドリング９は、ガイド部１１の入口中心Ｃと前側のＵ型ガイド部材３３の下縁部を結ぶ直線が、竿管中心軸と交わる点付近に位置させるのが好ましい。なお、内側ガイドリング９が図５に示す位置より前方側にある場合は、上述した釣糸導入角度θ１は、ガイド部１１の入口中心Ｃと、前側のＵ型ガイド部材３３の下縁部とを結んだ直線によって定義される。
（１０）上記した内側ガイドリング９の内口径ｄ２は、２〜５ｍｍの範囲に設定するのが好ましい。このような範囲に設定することで、釣糸が絞り込まれ、竿管内部において、内周面への釣糸の当たりが抑制される。
（１１）図２に示すように、支持体３０の両側部において、前記した枠体１２の側枠１２ａが立ち上がって行く部分に滑らかな曲面を有する膨出部３０ｄを形成しておくことが好ましい。このような膨出部を形成することで、側枠１２ａと支持体３０との間での糸噛みを防止することができる。また、枠体１２の後枠１２ｂの基端部においても、曲面１２ｇを有する糸噛み防止部材を形成しておくことが好ましい。
【００２１】
上記したＵ型ガイド部材３３以外にも、大径竿管の糸導入口１ａの形状に対応した長いガイド部材を設けても良い。また、そのようなガイド部材は、竿管の表面に沿って配設する以外にも、竿管の表面に対して角度をつけて（直交しても良い）配設しても良い。また、このようなガイド部材は、図示した構成のように、支持体３０に設ける以外にも、竿管に形成された糸導入口１ａに直接設けたり、枠体１２に設けても良い。また、図５の符号５０で示すように、ガイド部１１と糸導入口１ａとの間に、更に釣糸の案内を確実にする別の第３のガイドを設けても良い。このようなガイドは、枠体１２もしくは支持体３０に設けられる。
【００２２】
また、上述した枠体１２と支持体３０は一体的に形成しても良いし、別体として夫々形成し、これを固定して一体化しても良く、大径竿管１から着脱可能に構成しても良い。また、枠体１２とガイド部１１とは一体的に形成しても良い。
【００２３】
以上の（１）〜（１１）の要件は、任意に組み合わせて実施することが可能である。また、ガイド部１１を設けた枠体１２や支持体３０の形状、構成等については上述した実施の形態に限られず、種々変形することが可能である。
【００２４】
図６は支持体３０の構成が異なる本発明の第２の実施の形態を示す図である。上述した実施の形態の支持体３０は、大径竿管１の外周で糸導入口１ａ領域に設けられていたが、支持体は、図６の符号６０で示すように、大径竿管１の内部空間に配される構成であっても良い。この支持体６０は、上記した実施の形態と同様な構成の枠体１２を支持すると共に、大径竿管の内部前方において、内側ガイドリング６９を取り付けた構造となっている。
【００２５】
次に、図７を参照して、上述した実施の形態によって得られる効果を具体的に説明する。
図に示すように、釣竿にスピニングリールを取り付けた場合、放出時における釣糸の軌跡は、螺旋状になって釣糸導入ガイド１０から竿管内部へ導入される。釣糸導入ガイドを上述した（１）、（２）のような構成にすることにより、螺旋状の軌跡となる釣糸の、竿管の外周面、特に釣糸導入ガイド１０から近い領域Ｒでの接触を少なくすることができ、糸抵抗が軽減されて放出性の向上が図れる。また、枠体１２に設けられているガイド部での糸溜りが抑制される。
【００２６】
また、上述した（３）〜（７）のように構成することによって、図の符号Ｓ１で示すような釣糸の前方への飛び出しが抑制され、放出時において、釣糸を円滑に竿管内に導入することができる。
【００２７】
【発明の効果】
以上、本発明の構成によれば、リールから繰り出された釣糸が円滑に竿管内部に導入できる釣糸導入ガイドを有する中通し釣竿を得ることが可能となる。
また、糸通し作業が行い易い釣糸導入ガイドを有する中通し釣竿を得ることが可能となる。
【図面の簡単な説明】
【図１】本発明の第１の実施の形態を示す図であり、釣糸導入ガイド部分の縦断面図。
【図２】釣糸導入ガイド部分の側面図。
【図３】釣糸導入ガイド部分の平面図。
【図４】図３のＡ−Ａ線に沿った断面図。
【図５】釣糸導入ガイドにおける支持体、枠体、枠体に設けられるガイドの寸法を説明する図。
【図６】本発明の第２の実施の形態を示す図。
【図７】リールから放出される釣糸と、釣糸導入ガイドとの関係を示す図。
【符号の説明】
１…大径竿管、１ａ…糸導入口、１０…釣糸導入ガイド、
９…内側ガイドリング、１１…ガイド部、１２…枠体、３０…支持体、
３０ａ…長孔、Ｓ…釣糸。
【図１】
0003614674.tif 000002
【図２】
0003614674.tif 000003
【図３】
0003614674.tif 000004
【図４】
0003614674.tif 000005
【図５】
0003614674.tif 000006
【図６】
0003614674.tif 000007
【図７】
0003614674.tif 000008